(57)【要約】【課題】半導体デバイスで構成されたスイッチを制御するための回路規模を縮小したい。【解決手段】整流回路１２は、ダイオードＤ１ブリッジで構成され、その固定電位側入力端子Ｔ１に所定のオフセット電位が印加され、その可変電位側入力端子Ｔ２に、オフセット電位に極性切替可能な固定電圧が加算された入力電位が印加される。レギュレータ１４は、入力端子Ｔ５が整流回路１２の高電位側出力端子Ｔ３に接続され、低電位側基準電位端子Ｔ６が整流回路１２の低電位側出力端子Ｔ４に接続される。ダイオードＤ１は、上記ダイオードブリッジに含まれるダイオードと同じ特性を持ち、カソード端子が整流回路１２の低電位側出力端子Ｔ４に接続される。分圧回路１６は、ダイオードＤ１のアノード端子と上記入力電位を伝達する信号線３００との間に接続され、アノード端子の電位と上記入力電位との中間電位を生成する。【選択図】図１
2009246426.tif 000002
【特許請求の範囲】
【請求項１】
複数の切替対象からそれぞれ出力される信号のうちいずれかを選択するスイッチ、および前記スイッチにより選択された信号を増幅する増幅回路の両方に、高電位側基準電位および低電位側基準電位を供給し、かつ前記スイッチにそれら両電位をハイレベルおよびローレベルとする切替制御電位を供給する電源装置であって、
ダイオードブリッジで構成され、その固定電位側入力端子に所定のオフセット電位が印加され、その可変電位側入力端子に、前記オフセット電位に極性切替可能な固定電圧が加算された入力電位が印加される整流回路と、
入力端子が前記整流回路の高電位側出力端子に接続され、低電位側基準電位端子が前記整流回路の低電位側出力端子に接続され、前記入力端子と前記低電位側基準電位端子との間の電圧に応じて出力電圧を生成するレギュレータと、
前記ダイオードブリッジに含まれるダイオードと同じ特性を持ち、カソード端子が前記整流回路の低電位側出力端子に接続されるダイオードと、
前記ダイオードのアノード端子と前記入力電位を伝達する信号線との間に接続され、前記アノード端子の電位と前記入力電位との中間電位を生成する分圧回路と、
前記レギュレータの出力端子と、前記ダイオードのアノード端子との間に接続される抵抗と、を備え、
前記整流回路の低電位側出力端子の電位に、前記レギュレータにより生成される出力電圧が加算された電位が、前記スイッチおよび前記増幅回路の共通の高電位側基準電位として供給され、
前記整流回路の低電位側出力端子の電位が、前記複数の切替対象、前記スイッチおよび前記増幅回路の共通の低電位側基準電位として供給され、
前記分圧回路により生成される中間電位が、前記切替制御電位として前記スイッチに供給され、
前記レギュレータにより生成される出力電圧の値と、前記極性切替可能な固定電圧の絶対値との関係が１：２に設定されることを特徴とする電源装置。
【請求項２】
前記極性切替可能な固定電圧が正に制御されるとき、前記切替制御電位が前記ハイレベルとなり、負に制御されるとき、前記切替制御電位が前記ローレベルとなることを特徴とする請求項１に記載の電源装置。
【請求項３】
アンテナ部と、当該アンテナ部と信号線で接続される信号処理部とを備える受信装置であって、
前記アンテナ部は、
第１アンテナおよび第２アンテナと、
前記第１アンテナの出力信号および前記第２アンテナの出力信号のいずれかを選択するスイッチと、
前記スイッチにより選択された出力信号を増幅する増幅回路と、
前記スイッチおよび前記増幅回路の両方に、高電位側基準電位および低電位側基準電位を供給し、かつ前記スイッチにそれら両電位をハイレベルおよびローレベルとする切替制御電位を供給する電源装置と、を有し、
前記信号処理部は、
極性切替可能な固定電圧を供給する直流電源と、
前記固定電圧の極性を決定し、その極性決定後の固定電圧を前記信号線に重畳させる制御部と、を有し、
前記電源装置は、
ダイオードブリッジで構成され、その固定電位側入力端子に前記信号線のオフセット電位が印加され、その可変電位側入力端子に、前記オフセット電位に前記極性切替可能な固定電圧が加算された入力電位が印加される整流回路と、
入力端子が前記整流回路の高電位側出力端子に接続され、低電位側基準電位端子が前記整流回路の低電位側出力端子に接続され、前記入力端子と前記低電位側基準電位端子との間の電圧に応じて出力電圧を生成するレギュレータと、
前記ダイオードブリッジに含まれるダイオードと同じ特性を持ち、カソード端子が前記整流回路の低電位側出力端子に接続されるダイオードと、
前記ダイオードのアノード端子と前記信号線との間に接続され、前記アノード端子の電位と前記入力電位との中間電位を生成する分圧回路と、
前記レギュレータの出力端子と、前記ダイオードのアノード端子との間に接続される抵抗と、を含み、
前記整流回路の低電位側出力端子の電位に、前記レギュレータにより生成される出力電圧が加算された電位が、前記スイッチおよび前記増幅回路の共通の高電位側基準電位として供給され、
前記整流回路の低電位側出力端子の電位が、前記第１アンテナおよび第２アンテナ、前記スイッチならびに前記増幅回路の共通の低電位側基準電位として供給され、
前記分圧回路により生成される中間電位が、前記切替制御電位として前記スイッチに供給され、
前記レギュレータにより生成される出力電圧の値と、前記極性切替可能な固定電圧の絶対値との関係が１：２に設定されることを特徴とする受信装置。
【請求項４】
前記制御部は、前記極性切替可能な固定電圧の極性を制御することにより、前記第１アンテナの出力信号および前記第２アンテナの出力信号のいずれかを選択することを特徴とする請求項３に記載の受信装置。
【発明の詳細な説明】
【技術分野】
【０００１】
本発明は、スイッチＩＣなどに、高電位側基準電位および低電位側基準電位を供給する電源装置およびそれを搭載した受信装置に関する。
【背景技術】
【０００２】
移動体通信や無線ＬＡＮなどで使用される無線通信機器には高周波スイッチＩＣが搭載されることが多い。たとえば、無線通信機器に搭載される高周波スイッチＩＣは、内蔵アンテナと外部アンテナとを切り替えるために使用される。
【０００３】
特許文献１は、複数の衛星アンテナと切換分配器を備える衛星放送受信システムを開示する。
【特許文献１】特開平５−１４９０１号公報
【発明の開示】
【発明が解決しようとする課題】
【０００４】
一般的な高周波スイッチＩＣにおいて、そのオンオフ状態を制御するために使用される切替制御電位のハイレベルおよびローレベルは、その高周波スイッチの電源として供給される高電位側基準電位および低電位側基準電位に設計されている。
【０００５】
本発明者は、上記切替制御電位のハイレベルおよびローレベルを供給する電源から、上記スイッチおよびその周辺回路の電源とすべき高電位側基準電位および低電位側基準電位を供給する手法を見出した。これにより、電源を別々に設ける場合と比較し、回路規模を縮小することができるようになった。
【０００６】
本発明はこうした状況に鑑みなされたものであり、その目的は半導体デバイスで構成されたスイッチを制御するための回路規模を縮小することができる電源装置およびそれを搭載した受信装置を提供することにある。
【課題を解決するための手段】
【０００７】
本発明のある態様の電源装置は、複数の切替対象からそれぞれ出力される信号のうちいずれかを選択するスイッチ、およびスイッチにより選択された信号を増幅する増幅回路の両方に、高電位側基準電位および低電位側基準電位を供給し、かつスイッチにそれら両電位をハイレベルおよびローレベルとする切替制御電位を供給する電源装置であって、ダイオードブリッジで構成され、その固定電位側入力端子に所定のオフセット電位が印加され、その可変電位側入力端子に、オフセット電位に極性切替可能な固定電圧が加算された入力電位が印加される整流回路と、入力端子が整流回路の高電位側出力端子に接続され、低電位側基準電位端子が整流回路の低電位側出力端子に接続され、入力端子と低電位側基準電位端子との間の電圧に応じて出力電圧を生成するレギュレータと、ダイオードブリッジに含まれるダイオードと同じ特性を持ち、カソード端子が整流回路の低電位側出力端子に接続されるダイオードと、ダイオードのアノード端子と入力電位を伝達する信号線との間に接続され、アノード端子の電位と入力電位との中間電位を生成する分圧回路と、レギュレータの出力端子と、ダイオードのアノード端子との間に接続される抵抗と、を備える。整流回路の低電位側出力端子の電位に、レギュレータにより生成される出力電圧が加算された電位が、スイッチおよび増幅回路の共通の高電位側基準電位として供給され、整流回路の低電位側出力端子の電位が、複数の切替対象、スイッチおよび増幅回路の共通の低電位側基準電位として供給され、分圧回路により生成される中間電位が、切替制御電位としてスイッチに供給され、レギュレータにより生成される出力電圧の値と、極性切替可能な固定電圧の絶対値との関係が１：２に設定される。
【発明の効果】
【０００８】
本発明によれば、半導体デバイスで構成されたスイッチを制御するための回路規模を縮小することができる。
【発明を実施するための最良の形態】
【０００９】
図１は、実施の形態に係る受信装置５００の構成図である。受信装置５００は、アンテナ部１００および復調部２００を備え、それらは信号線３００で接続されている。この受信装置５００は、直交周波数分割多重（ＯＦＤＭ:Orthogonal Frequency Division Multiplexing）方式でデジタル変調された信号が伝送されるＩＳＤＢ−Ｔ（Integrated Services Digital Broadcasting-Terrestrial）方式の地上波デジタルテレビジョン放送を受信する装置であってもよい。
【００１０】
アンテナ部１００は、第１アンテナ２０ａ、第２アンテナ２０ｂ、スイッチ３０、増幅回路４０ならびに電源装置１０を含み、第１アンテナ２０ａまたは第２アンテナ２０ｂで受信した信号を、信号線３００を介して復調部２００に出力する。
【００１１】
第１アンテナ２０ａおよび第２アンテナ２０ｂは、指向性などの性能および／または設置位置が異なる。第１アンテナ２０ａおよび第２アンテナ２０ｂのそれぞれの出力信号は、後述する切替制御部６０の制御に応じて復調部２００に取り込まれるべき信号として選択される。
【００１２】
スイッチ３０は、第１アンテナ２０ａの出力信号および第２アンテナ２０ｂの出力信号のいずれかを選択する。本実施の形態では、スイッチ３０はＤＰＳＴ(Dual pole, singlethrow)型の高周波スイッチＩＣが採用される。このスイッチ３０の詳細は後述する。
【００１３】
増幅回路４０は、スイッチ３０により選択された出力信号を増幅する。増幅回路４０は、増幅した信号を、第１容量Ｃ１、第１信号線３００ａおよび第２容量Ｃ２を介して、後述するチューナー７０に出力する。増幅回路４０は一般的なローノイズアンプが採用される。たとえば、ソース接地トランジスタと、電源に接続されている負荷との直列回路を主要回路とした構成であってもよい。
【００１４】
電源装置１０は、スイッチ３０および増幅回路４０の両方に、高電位側基準電位および低電位側基準電位を供給し、かつスイッチ３０にそれら両電位をハイレベルおよびローレベルとする切替制御電位を供給する。電源装置１０の詳細は後述する。
【００１５】
信号処理部としての復調部２００は、第１直流電源５０ａ、第２直流電源５０ｂ、切替制御部６０および、チューナー７０を少なくとも含み、アンテナ部１００により受信された信号を復調する。なお、本明細書では注目しないため、チューナー７０より後段の構成を省略している。
【００１６】
チューナー７０は、アンテナ部１００から入力される信号から所望周波数の信号を選択して取得する。その際、高周波信号から中間周波数信号への変換、信号の増幅などを行う。
【００１７】
第１直流電源５０ａおよび第２直流電源５０ｂは、極性切替可能な固定電圧を供給する。第１直流電源５０ａおよび第２直流電源５０ｂは、極性が逆の状態で並列に配置され、それらの一端は、第２インダクタＬ２を介して選択的に第１信号線３００ａに接続される。そららの他端は、結線され、第４インダクタＬ４を介して第２信号線３００ｂに接続される。第１直流電源５０ａおよび第２直流電源５０ｂのいずれの固定電圧が、第１信号線３００ａに重畳されるかは、切替制御部６０の指示に基づく。
【００１８】
切替制御部６０は、上記極性切替可能な固定電圧の極性を決定し、その極性決定後の固定電圧を第１信号線３００ａに重畳させる。より具体的には、その極性切替可能な固定電圧の極性を制御することにより、第１アンテナ２０ａの出力信号および第２アンテナ２０ｂの出力信号のいずれかを選択する。切替制御部６０は、受信状況などに基づき、感度が良好なほうのアンテナを選択する。また、第１アンテナ２０ａおよび第２アンテナ２０ｂのいずれか一方に不具合が発生した場合、不具合が発生していないほうのアンテナを選択する。本実施の形態では上記固定電圧の極性が正に制御されると、第１アンテナ２０ａの出力信号が選択され、負に制御されると、第２アンテナ２０ｂの出力信号が選択される。
【００１９】
本実施の形態では、信号線３００として同軸ケーブルを採用する。第１信号線３００ａが同軸ケーブルの内部導体であり、第２信号線３００ｂがその外部導体である。第１信号線３００ａは、増幅回路４０から入力される高周波信号をチューナー７０に伝達する。また、第１直流電源５０ａまたは第２直流電源５０ｂから供給される固定電圧を電源装置１０に伝達する。
【００２０】
第１信号線３００ａの両端にはそれぞれ、第１容量Ｃ１および第２容量Ｃ２が接続されており、増幅回路４０およびチューナー７０に当該固定電圧が入力されることを抑制する。また、第１信号線３００ａと電源装置１０との間、および第１信号線３００ａと、第１直流電源５０ａまたは第２直流電源５０ｂとの間には、それぞれ第１インダクタＬ１、第２インダクタＬ２が接続される。第１インダクタＬ１および第２インダクタＬ２は、上記高周波信号が、電源装置１０および、第１直流電源５０ａまたは第２直流電源５０ｂに入力されることを抑制する。
【００２１】
第２信号線３００ｂの両端はそれぞれ、第３容量Ｃ３および第４容量Ｃ４を介して上記低電位側基準電位に接続される。第３容量Ｃ３および第４容量Ｃ４は、第２信号線３００ｂに生じる交流成分を除去する。第２信号線３００ｂと電源装置１０との間、および第２信号線３００ｂと第１直流電源５０ａおよび第２直流電源５０ｂの共通端子との間には、それぞれ第３インダクタＬ３、第４インダクタＬ４が接続される。第３インダクタＬ３および第４インダクタＬ４は、第２信号線３００ｂに生じる交流成分が、電源装置１０ならびに、第１直流電源５０ａおよび第２直流電源５０ｂに入力されることを抑制する。
【００２２】
以下、電源装置１０の構成について具体的に説明する。
電源装置１０は、整流回路１２、レギュレータ１４、ダイオードＤ１、分圧回路１６および抵抗Ｒ２を含む。
【００２３】
整流回路１２は、特性が同じ四つのダイオードがブリッジ状に接続されたダイオードブリッジで構成される。アノード端子とカソード端子とが接続される、対向する二つの接続点が入力端子Ｔ１、Ｔ２となり、カソード端子同士が接続される接続点が高電位側出力端子Ｔ３となり、アノード端子同士が接続される接続点が低電位側出力端子Ｔ４となる。
【００２４】
入力端子Ｔ１、Ｔ２のうち、固定電位側入力端子Ｔ１は第３インダクタＬ３を介して第２信号線３００ｂと接続される。可変電位側入力端子Ｔ２は第１インダクタＬ１を介して第１信号線３００ａに接続される。高電位側出力端子Ｔ３はレギュレータ１４の入力端子Ｔ５に接続される。低電位側出力端子Ｔ４は、レギュレータ１４の低電位側基準電位端子Ｔ６、第１アンテナ２０ａの低電位側基準電位端子、第２アンテナ２０ｂの低電位側基準電位端子、スイッチ３０の低電位側基準電位端子、および増幅回路４０の低電位側基準電位端子に接続される。さらに、第３容量Ｃ３の一端、第４容量Ｃ４の一端、およびチューナー７０の低電位側基準電位端子に接続される。
【００２５】
固定電位側入力端子Ｔ１には、信号線３００のオフセット電位が印加される。可変電位側入力端子Ｔ２には、信号線３００のオフセット電位に上記固定電圧が加算された入力電位が印加される。なお、第１信号線３００ａおよび第２信号線３００ｂは同じオフセット電位を持つ。
【００２６】
レギュレータ１４は、入力端子Ｔ５、低電位側基準電位端子Ｔ６および出力端子Ｔ７を持つ三端子レギュレータである。入力端子Ｔ５は整流回路１２の高電位側出力端子Ｔ３に接続され、低電位側基準電位端子Ｔ６は整流回路１２の低電位側出力端子Ｔ４に接続される。出力端子Ｔ７は、スイッチ３０の高電位側基準端子および増幅回路４０の高電位側基準端子に接続される。
【００２７】
レギュレータ１４は、入力端子Ｔ５と低電位側基準電位端子Ｔ６との間の電圧に応じて出力電圧を生成する。本実施の形態では、整流回路１２の作用により上記固定電圧の極性が正であっても負であっても、入力端子Ｔ５と低電位側基準電位端子Ｔ６との間の電圧は同じになる。したがって、レギュレータ１４が生成する出力電圧は、上記固定電圧の極性に関わらず一定となる。
【００２８】
ダイオードＤ１は、上記ダイオードブリッジに含まれるダイオードと同じ特性を持ち、カソード端子が整流回路１２の低電位側出力端子Ｔ４に接続され、アノード端子が分圧回路１６および抵抗Ｒ２に接続される。
【００２９】
分圧回路１６は、ダイオードＤ１のアノード端子と第２信号線３００ｂとの間に接続され、ダイオードＤ１のアノード端子の電位と上記入力電位との中間電位を生成する。すなわち、第１ノードＮ１の電位と、第２ノードＮ２の電位との中間電位を生成する。本実施の形態では、分圧回路１６は、抵抗値が同じな、第１分圧抵抗Ｒ１ａおよび第２分圧抵抗Ｒ１ｂで構成される。第１分圧抵抗Ｒ１ａおよび第２分圧抵抗Ｒ１ｂの中間点である第３ノードＮ３はスイッチ３０の制御電位端子に接続される。
【００３０】
抵抗Ｒ２は、レギュレータ１４の出力端子Ｔ７と、ダイオードＤ１のアノード端子との間に接続される。抵抗Ｒ２は、第２ノードＮ２の電位と第４ノードＮ４の電位とが一定比を保つように作用する。なお、抵抗Ｒ２は０Ωでもよい。すなわち、第２ノードＮ２と第４ノードＮ４とを単純に結線するだけでもよい。
【００３１】
このような構成において、整流回路１２の低電位側出力端子Ｔ４の電位に、レギュレータ１４により生成される出力電圧が加算された電位が、スイッチ３０および増幅回路４０の共通の高電位側基準電位として供給される。また、整流回路１２の低電位側出力端子Ｔ４の電位が、第１アンテナ２０ａおよび第２アンテナ２０ｂ、スイッチ３０ならびに増幅回路４０の共通の低電位側基準電位として供給される。分圧回路１６により生成される中間電位が、上記切替制御電位としてスイッチ３０に供給される。
【００３２】
さらに、レギュレータ１４により生成される出力電圧の値と、上記極性切替可能な固定電圧の絶対値との関係を１：２に設定する。レギュレータ１４の、入出力電圧の変換率および上記極性切替可能な固定電圧の絶対値の少なくとも一方を調整すればよい。
【００３３】
このような構成および設定によれば、上記極性切替可能な固定電圧が正に制御されるとき、上記切替制御電位がハイレベルとなり、負に制御されるとき、上記切替制御電位がローレベルとなる。そして、このハイレベルは上記高電位側基準電位と一致し、このローレベルは上記低電位側基準電位と一致する。
【００３４】
以下、この結論を確かめるべく、電源装置１０の動作をより詳細に説明する。
前提として、
（ａ）信号線３００のオフセット電位をＶ０
（ｂ）ダイオードブリッジを構成するダイオードおよびダイオードＤ１の順方向降下電圧をＶｆ
（ｃ）レギュレータ１４で生成される出力電圧をＶｃ
（ｄ）上記極性切替可能な固定電圧を２Ｖｃまたは−２Ｖｃとする。
【００３５】
まず、切替制御部６０により上記極性切替可能な固定電圧として２Ｖｃが選択された場合について説明する。すなわち、上記切替制御電位がハイレベルに制御される場合である。
（１）固定電位側入力端子Ｔ１の電位は、第１信号線３００ａのオフセット電位と同じ、Ｖ０となる。
（２）可変電位側入力端子Ｔ２および第１ノードＮ１の電位は、第２信号線３００ｂのオフセット電位がＶ０であり、第２信号線３００ｂに２Ｖｃが重畳されるため、（Ｖ０＋２Ｖｃ）となる。
（３）高電位側出力端子Ｔ３の電位は、（２）可変電位側入力端子Ｔ２の電位から、ダイオードの順方向降下電圧分、降下して、（Ｖ０＋２Ｖｃ−Ｖｆ）となる。
（４）低電位側出力端子Ｔ４の電位は、（１）固定電位側入力端子Ｔ１の電位から、ダイオードの順方向降下電圧分、上昇して、（Ｖ０＋Ｖｆ）となる。
（５）レギュレータ１４に入力される、（３）高電位側出力端子Ｔ３と、（４）低電位側出力端子Ｔ４との間の電圧は、（２Ｖｃ−２Ｖｆ）となる。
（６）第４ノードＮ４の電位は、（４）低電位側出力端子Ｔ４の電位が（Ｖ０＋Ｖｆ）であり、（ｃ）レギュレータ１４で生成される出力電圧がＶｃであるため、（Ｖ０＋Ｖｃ＋Ｖｆ）となる。
（７）第２ノードＮ２の電位は、（４）低電位側出力端子Ｔ４の電位から、ダイオードＤ１の順方向降下電圧分、上昇して、（Ｖ０＋２Ｖｃ）となる。
（８）第３ノードＮ３の電位は、（２）第１ノードＮ１の電位と、（７）第２ノードＮ２の電位との中間電位であるため、（Ｖ０＋Ｖｃ＋Ｖｆ）となる。
【００３６】
このように、（６）第４ノードＮ４の電位と、（８）第３ノードＮ３の電位が等しくなることが分かる。（６）第４ノードＮ４の電位は、スイッチ３０および増幅回路４０の共通の高電位側基準電位であり、（８）第３ノードＮ３の電位は、スイッチ３０を制御するための、上記切替制御電位である。すなわち、当該高電位側基準電位と、上記切替制御電位のハイレベルが一致することが分かる。
【００３７】
つぎに、切替制御部６０により上記極性切替可能な固定電圧として−２Ｖｃが選択された場合について説明する。すなわち、上記切替制御電位がローレベルに制御される場合である。
（１）固定電位側入力端子Ｔ１の電位は、第１信号線３００ａのオフセット電位と同じ、Ｖ０となる。
（２）可変電位側入力端子Ｔ２および第１ノードＮ１の電位は、第２信号線３００ｂのオフセット電位がＶ０であり、第２信号線３００ｂに−２Ｖｃが重畳されるため、（Ｖ０−２Ｖｃ）となる。
（３）高電位側出力端子Ｔ３の電位は、（１）固定電位側入力端子Ｔ１の電位から、ダイオードの順方向降下電圧分、降下して、（Ｖ０−Ｖｆ）となる。
（４）低電位側出力端子Ｔ４の電位は、（２）可変電位側入力端子Ｔ２の電位から、ダイオードの順方向降下電圧分、上昇して、（Ｖ０−２Ｖｃ＋Ｖｆ）となる。
（５）レギュレータ１４に入力される、（３）高電位側出力端子Ｔ３と、（４）低電位側出力端子Ｔ４との間の電圧は、（２Ｖｃ−２Ｖｆ）となる。
（６）第４ノードＮ４の電位は、（４）低電位側出力端子Ｔ４の電位が（Ｖ０−２Ｖｃ＋Ｖｆ）であり、（ｃ）レギュレータ１４で生成される出力電圧がＶｃであるため、（Ｖ０−Ｖｃ＋Ｖｆ）となる。
（７）第２ノードＮ２の電位は、（４）低電位側出力端子Ｔ４の電位から、ダイオードＤ１の順方向降下電圧分、上昇して、（Ｖ０−２Ｖｃ＋２Ｖｆ）となる。
（８）第３ノードＮ３の電位は、（１）第１ノードＮ１の電位と、（７）第２ノードＮ２の電位との中間電位であるため、（Ｖ０−２Ｖｃ＋Ｖｆ）となる。
【００３８】
このように、（４）低電位側出力端子Ｔ４の電位と、（８）第３ノードＮ３の電位が等しくなることが分かる。（４）低電位側出力端子Ｔ４の電位は、第１アンテナ２０ａおよび第２アンテナ２０ｂ、スイッチ３０ならびに増幅回路４０の共通の低電位側基準電位であり、（８）第３ノードＮ３の電位は、スイッチ３０を制御するための、上記切替制御電位である。すなわち、当該低電位側基準電位と、上記切替制御電位のローレベルが一致することが分かる。
【００３９】
図２は、本実施の形態におけるスイッチ３０の回路構成例を示す。当該スイッチ３０は、第１トランジスタＴｒ１、第２トランジスタＴｒ２、第３トランジスタＴｒ３、第４トランジスタＴｒ４、インバータＩＮＶ、第１抵抗Ｒ１１、第２抵抗Ｒ１２、第３抵抗Ｒ１３および第４抵抗Ｒ１４を含む。
【００４０】
第１トランジスタＴｒ１、第２トランジスタＴｒ２、第３トランジスタＴｒ３および第４トランジスタＴｒ４には、ｎチャネル型のＦＥＴを採用する。
第１トランジスタＴｒ１のドレイン端子は、第１アンテナ２０ａの出力信号を伝達する信号線に接続される。第１トランジスタＴｒ１のソース端子には上記低電位側基準電位ＶｒＬ（低電位側出力端子Ｔ４の電位）が印加され、第１トランジスタＴｒ１のゲート端子には第１抵抗Ｒ１１を介して上記切替制御電位Ｖｓｗ（第３ノードＮ３の電位）が印加される。
【００４１】
第２トランジスタＴｒ２のドレイン端子は、第２アンテナ２０ｂの出力信号を伝達する信号線に接続される。第２トランジスタＴｒ２のソース端子には上記低電位側基準電位ＶｒＬ（低電位側出力端子Ｔ４の電位）が印加され、第２トランジスタＴｒ２のゲート端子には第２抵抗Ｒ１２を介して、インバータＩＮＶの出力電位が印加される。この出力電位は、上記切替制御電位Ｖｓｗ（第３ノードＮ３の電位）の位相が反転された電位である。
【００４２】
第３トランジスタＴｒ３のソース端子は、第１アンテナ２０ａの出力信号を伝達する信号線に接続される。その接続点は、その信号線と第１トランジスタＴｒ１のドレイン端子との接続点より後段に位置する。第３トランジスタＴｒ３のゲート端子には第３抵抗Ｒ１３を介してインバータＩＮＶの出力電位が印加される。第４トランジスタＴｒ４のソース端子は、第２アンテナ２０ｂの出力信号を伝達する信号線に接続される。その接続点は、その信号線と第２トランジスタＴｒ２のドレイン端子との接続点より後段に位置する。第３トランジスタＴｒ３のゲート端子には第４抵抗Ｒ１４を介して上記切替制御電位Ｖｓｗ（第３ノードＮ３の電位）が印加される。第３トランジスタＴｒ３のドレイン端子と第４トランジスタＴｒ４のドレイン端子は結線され、増幅回路４０の入力端子に接続される。
【００４３】
インバータＩＮＶは、上記高電位側基準電位ＶｒＨ（第４ノードＮ４）および上記低電位側基準電位ＶｒＬ（低電位側出力端子Ｔ４の電位）を電源として動作する。インバータＩＮＶは、上記切替制御電位Ｖｓｗ（第３ノードＮ３の電位）の位相を反転し、第２トランジスタＴｒ２および第３トランジスタＴｒ３のゲート端子に入力する。
【００４４】
この構成において、上記切替制御電位Ｖｓｗがハイレベルのとき、第１トランジスタＴｒ１および第４トランジスタＴｒ４がオンし、第２トランジスタＴｒ２および第３トランジスタＴｒ３がオフする。よって、第１アンテナ２０ａの出力信号が増幅回路４０に伝達される。一方、上記切替制御電位Ｖｓｗがローレベルのとき、第１トランジスタＴｒ１および第４トランジスタＴｒ４がオフし、第２トランジスタＴｒ２および第３トランジスタＴｒ３がオンする。よって、第２アンテナ２０ｂの出力信号が増幅回路４０に伝達される。
【００４５】
以上説明したように本実施の形態によれば、上記切替制御電位のハイレベルおよびローレベルを供給する電源から、半導体デバイスで構成されたスイッチおよびその周辺回路の電源とすべき高電位側基準電位および低電位側基準電位を供給することができる。よって、電源を別々に設ける場合と比較し、回路規模を縮小することができる。上記切替制御電位のハイレベルを上記高電位側基準電位に、上記切替制御電位のローレベルを上記低電位側基準電位に合わせることができるため、一般的な高周波スイッチＩＣをそのまま使用することができる。
【００４６】
また、上記電源が復調部２００に設けられ、信号線３００に当該電源から供給される電圧が重畳されてアンテナ部１００に供給されるため、アンテナ部１００に電源を設ける必要がない。よって、アンテナ部１００の回路規模を低減することができる。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４８】
図３は、変形例１に係る受信装置の部分構成を示す図である。図３は、図１に示したアンテナ部１００内の、第１アンテナ２０ａ、第２アンテナ２０ｂ、スイッチ３０および増幅回路４０の変形例を描いている。その他の構成は図１と同様である。
【００４９】
複数の切替対象、ここでは第１アンテナ２０ａおよび第２アンテナ２０ｂから出力される信号をそれぞれ増幅する複数の増幅回路４０ａ、４０ｂが設けられる。スイッチ３０は、複数の増幅回路４０ａ、４０ｂからそれぞれ出力される信号のうちいずれかを選択する。電源装置１０は、スイッチ３０および複数の増幅回路４０ａ、４０ｂの両方に、高電位側基準電位および低電位側基準電位を供給し、第１アンテナ２０ａおよび第２アンテナ２０ｂに低電位側基準電位を供給し、スイッチ３０に上記切替制御電位を供給する。変形例１も上述した実施の形態と同様の効果を奏する。
【００５０】
図４は、変形例２に係る受信装置の部分構成を示す図である。変形例２に係る受信装置は、送信機能も備える。復調部２００は変調機能も備える。アンテナ２０は送信も受信も可能である。第１スイッチ３０ａは、アンテナ２０と、受信用増幅回路４０ａおよび送信用増幅回路４０ｂのいずれかとを接続する。第２スイッチ３０ｂは、受信用増幅回路４０ａおよび送信用増幅回路４０ｂのいずれかと復調部２００とを接続する。電源装置１０は、第１スイッチ３０ａ、第２スイッチ３０ｂ、受信用増幅回路４０ａおよび送信用増幅回路４０ｂのすべてに、高電位側基準電位および低電位側基準電位を供給し、アンテナ２０に低電位側基準電位を供給し、第１スイッチ３０ａおよび第２スイッチ３０ｂに上記切替制御電位を供給する。変形例２も上述した実施の形態と同様の効果を奏する。
【００５１】
上記実施の形態では、スイッチの切替対象を複数のアンテナの出力信号とする例を説明したが、それに限るものではない。たとえば、複数のセンサの出力信号を当該切替対象としてもよい。
【００５２】
また、上記実施の形態では、受信用の二つアンテナを切り替える例を説明したが、送信用アンテナと受信用アンテナを切り替える構成にも適用可能である。また、上記実施の形態における信号線３００は、同軸ケーブルではなくフィーダ線であってもよい。
【図面の簡単な説明】
【００５３】
【図１】実施の形態に係る受信装置の構成図である。
【図２】本実施の形態におけるスイッチの回路構成例を示す図である。
【図３】変形例１に係る受信装置の部分構成を示す図である。
【図４】変形例２に係る受信装置の部分構成を示す図である。
【符号の説明】
【００５４】
１０  電源装置、  １２  整流回路、  １４  レギュレータ、  １６  分圧回路、  ２０ａ  第１アンテナ、  ２０ｂ  第２アンテナ、  ３０  スイッチ、  ４０  増幅回路、  ５０ａ  第１直流電源、  ５０ｂ  第２直流電源、  ６０  切替制御部、  ７０  チューナー、  １００  アンテナ部、  ２００  復調部、  ３００  信号線、  ３００ａ  第１信号線、  ３００ｂ  第２信号線、  Ｃ１  第１容量、  Ｃ２  第２容量、  Ｃ３  第３容量、  Ｃ４  第４容量、  Ｌ１  第１インダクタ、  Ｌ２  第２インダクタ、  Ｌ３  第３インダクタ、  Ｌ４  第４インダクタ、  Ｄ１  ダイオード、  Ｒ１ａ  第１分圧抵抗、  Ｒ１ｂ  第２分圧抵抗、  Ｒ２  抵抗、  Ｒ１１  第１抵抗、  Ｒ１２  第２抵抗、  Ｒ１３  第３抵抗、  Ｒ１４  第４抵抗、  Ｔｒ１  第１トランジスタ、  Ｔｒ２  第２トランジスタ、  Ｔｒ３  第３トランジスタ、  Ｔｒ４  第４トランジスタ、  ＩＮＶ  インバータ、  Ｔ１  固定電位側入力端子、  Ｔ２  可変電位側入力端子、  Ｔ３  高電位側出力端子、  Ｔ４  低電位側出力端子、  Ｔ５  入力端子、  Ｔ６  低電位側基準電位端子、  Ｔ７  出力端子、  Ｎ１  第１ノード、  Ｎ２  第２ノード、  Ｎ３  第３ノード、  Ｎ４  第４ノード、  ５００  受信装置。  
【図１】
2009246426.tif 000003
【図２】
2009246426.tif 000004
【図３】
2009246426.tif 000005
【図４】
2009246426.tif 000006